(57)【要約】　　　（修正有）【課題】環境変化材の交換を行うときにその作業が効率良く行え、箱本体と蓋体の着脱を確実に行うことができる環境変化材の収納箱を提供する。【解決手段】収納箱は、外観が正方形形状の薄箱状を呈し、箱本体１と蓋体８で構成される。箱本体１は、４つの側面部２〜５を有し、側面部２には箱本体１の内部と外部を連通する複数の連通口２ａが穿設されている。連通口２ａと同様のものが側面部３、４、５に連通口３ａ、４ａ、５ａとして穿設される。箱本体１の側面部４と側面部５のそれぞれの上端面部に第１の係合部６、７が形成され、それぞれに嵌合する第２の係合部９、１０が蓋体８の下面に設けられている。側面部４に形成される第１の係合部６は、側面部４の内壁面の上部に箱本体１の辺に並行する直線状の直線溝部６ｂが穿設され、この直線溝部６ｂの中央に係合案内部６ａを有している。【選択図】　　　図１
0003099071.tif 000002
【実用新案登録請求の範囲】
【請求項１】
箱本体と、該箱本体の開放口部を着脱自在に覆う蓋体とから構成される環境変化材の収納箱において、
前記箱本体、及び／または前記蓋体に穿設され、該箱本体の内外気を連通させる連通口部と、
前記箱本体の前記開放口部の縁部に形成された第１係合部と、
前記蓋体の縁部に形成され、該蓋体を前記箱本体に対して第１の方向に摺動させて嵌合し得ると共に、該第１の方向に対して逆方向に摺動させて嵌合し得る第２係合部とを具備することを特徴とする環境変化材の収納箱。
【請求項２】
前記箱本体の開放口部を着脱自在に覆う蓋体は、環境変化材を含み、または該環境変化材を含まない載置物品を有して構成されることを特徴とする請求項１に記載の環境変化材の収納箱。
【請求項３】
前記箱本体、及び／または前記蓋体は、前記環境変化材を含む材質で構成することを特徴とする請求項１に記載の環境変化材の収納箱。
【請求項４】
前記第２係合部は、前記蓋体から突出して形成され、前記第１係合部は、前記箱本体の前記開放口の端面に溝状に形成するように構成することを特徴とする請求項１乃至請求項３のいずれかに記載の環境変化材の収納箱。
【請求項５】
前記第１係合部は、前記開放口の端面に突出して形成され、前記第２係合部は、端面に溝状に形成されるように構成することを特徴とする請求項１乃至請求項３のいずれかに記載の環境変化材の収納箱。
【請求項６】
前記連通口部は、小径孔の複数個を穿設して構成することを特徴とする請求項１乃至請求項３のいずれかに記載の環境変化材の収納箱。
【請求項７】
前記連通口部は、開口と該開口を覆う網状部材とで構成することを特徴とする請求項１乃至請求項３のいずれかに記載の環境変化材の収納箱。
【請求項８】
前記箱本体の内部に収納される環境変化部材は、通気性を有する袋状の部材に収納されていることを特徴とする請求項１乃至請求項３のいずれかに記載の環境変化材の収納箱。
【請求項９】
前記箱本体の内部に形成される収納部は、区分けされた複数の領域で構成する請求項１乃至請求項３のいずれかに記載の環境変化材の収納箱。
【請求項１０】
前記環境変化材は、空気中の湿度を吸収もしくは調整する部材で構成することを特徴とする請求項１乃至請求項９のいずれかに記載の環境変化材の収納箱。
【請求項１１】
前記環境変化材は、空気中の臭気を吸収する部材で構成することを特徴とする請求項１乃至請求項９のいずれかに記載の環境変化材の収納箱。
【請求項１２】
前記環境変化材は、空気の清浄剤で構成することを特徴とする請求項１乃至請求項９のいずれかに記載の環境変化材の収納箱。
【請求項１３】
前記環境変化材は、空気中に芳香する部材で構成することを特徴とする請求項１乃至請求項９のいずれかに記載の環境変化材の収納箱。
【請求項１４】
前記環境変化材は、殺虫成分及び／または防黴成分を含んで構成することを特徴とする請求項１３に記載の環境変化材の収納箱。
【請求項１５】
前記環境変化材は、電磁波を吸収する部材で構成することを特徴とする請求項１乃至請求項９のいずれかに記載の環境変化材の収納箱。
【請求項１６】
前記環境変化材は、外部環境から発生する有害気体を打ち消す部材で構成することを特徴とする請求項１乃至請求項９のいずれかに記載の環境変化材の収納箱。
【請求項１７】
前記環境変化材は、炭材で構成されることを特徴とする請求項１０乃至請求項１６の少なくとも１つに記載の環境変化材の収納箱。
【考案の詳細な説明】
【０００１】
【考案の属する技術分野】
本考案は、居住空間の環境を快適にする吸湿剤、調湿剤、空気の清浄剤、消臭剤等々の多種多様な機能を少なくとも１つ有する部材（以下、これらを総称して環境変化材という）収納するための環境変化材の収納箱の改良に関する。
【０００２】
【従来の技術】
一般に、家庭内や会社内等の居住空間の環境を快適化するための環境変化材、例えば、不快な臭気を吸収するための吸臭剤を居住空間に晒した状態にして用いる場合には、その吸臭剤を収納箱に納めて居住環境に晒されるようにする。
【０００３】
この場合、環境変化材の収納箱は、目の粗い網目状の部材で箱本体を作り、その中に環境変化材を収納し、該箱本体の開放口部を蓋体で覆うようにして構成され、その網目が箱本体の内外気を連通させるための連通口となっている。
【０００４】
この箱本体と蓋体で構成される環境変化材の収納箱は、箱本体の内部収納物、即ち環境変化材が正規の機能を発揮できる期間を経過したときの取り出しや、別種の環境変化材への交換、即ち現在使用中の芳香剤を、異なる芳香をするものに交換したり、防虫成分を有する芳香剤に交換したり等々の取り換え動作を行うことが容易にできるように蓋体が箱本体に対して着脱自在な構造が採用される場合が多い。
【０００５】
また、環境変化材の収納箱は、通常は人の目に触れる場所に置かれた場合には、その蓋体の上に人形や動物等の置物を載置して使用し、置物の台として使用されることもあり、花瓶の置台として使用されることもある。
【０００６】
これらの環境変化材は、その機能を列挙すると、空気中の湿度を吸収もしくは調整する部材、空気中の臭気を吸収する部材、空気の清浄剤、空気中に芳香する部材、電磁波を吸収する部材等々があり、１つの機能を実現する場合のみならず複数機能を実現する場合もある。
【０００７】
例えば、空気中に快適な芳香を行う機能を有すると共に、蚊、蚤、虱などの虫を殺す成分もしくは防黴成分を含んで環境変化材が構成される場合があり、電磁波を吸収する部材で構成されたり、上述の複数機能の複数を有する木炭や竹炭でなる炭材で構成される場合がある。
【０００８】
【考案が解決しようとする課題】
従来の環境変化材の収納箱は、箱本体と蓋体で構成されていて、内部に格納された環境変化材を交換する際には、箱本体から蓋体を外し、収納されている環境変化材を取り出して新たな環境変化材に交換し、蓋体を箱本体の開口部に対して位置合わせした後に両者を結合しているため、使い勝手が悪くなってしまうという問題がある。
【０００９】
そこで、本考案の目的は、環境変化材の収納箱において、環境変化材の交換を行うときにその作業が効率良く行え、箱本体と蓋体の着脱を確実に行うことができるようにすることである。
【００１０】
【課題を解決するための手段】
前記課題を解決するために、本考案による環境変化材の収納箱は、次に記載するような特徴的な構成を採用している。
【００１１】
（１）箱本体と、該箱本体の開放口部を着脱自在に覆う蓋体とから構成される環境変化材の収納箱において、
前記箱本体、及び／または前記蓋体に穿設され、該箱本体の内外気を連通させる連通口部と、
前記箱本体の前記開放口部の縁部に形成された第１係合部と、
前記蓋体の縁部に形成され、該蓋体を前記箱本体に対して第１の方向に摺動させて嵌合し得ると共に、該第１の方向に対して逆方向に摺動させて嵌合し得る第２係合部とを具備する環境変化材の収納箱。
【００１２】
（２）前記箱本体の開放口部を着脱自在に覆う蓋体は、環境変化材を含み、または該環境変化材を含まない載置物品を有して構成する上記（１）の環境変化材の収納箱。
【００１３】
（３）前記箱本体、及び／または前記蓋体は、前記環境変化材を含む材質で構成する上記（１）の環境変化材の収納箱。
【００１４】
（４）前記第２係合部は、前記蓋体から突出して形成され、前記第１係合部は、前記箱本体の前記開放口の端面に溝状に形成するように構成する上記（１）乃至（３）のいずれかの環境変化材の収納箱
【００１５】
（５）前記第１係合部は、前記開放口の端面に突出して形成され、前記第２係合部は、端面に溝状に形成されるように構成する上記（１）乃至（３）のいずれかの環境変化材の収納箱。
【００１６】
（６）前記連通口部は、小径孔の複数個を穿設して構成する上記（１）乃至（３）のいずれかの環境変化材の収納箱。
【００１７】
（７）前記連通口部は、開口と該開口を覆う網状部材とで構成する上記（１）乃至（３）のいずれかの環境変化材の収納箱。
【００１８】
（８）前記箱本体の内部に収納される環境変化部材は、通気性を有する袋状の部材に収納されている上記（１）乃至（３）のいずれかの環境変化材の収納箱。
【００１９】
（９）前記箱本体の内部に形成される収納部は、区分けされた複数の領域で構成する上記（１）乃至（３）のいずれかの環境変化材の収納箱。
【００２０】
（１０）前記環境変化材は、空気中の湿度を吸収もしくは調整する部材で構成する上記（１）乃至（９）のいずれかの環境変化材の収納箱。
【００２１】
（１１）前記環境変化材は、空気中の臭気を吸収する部材で構成する上記（１）乃至（９）のいずれかの環境変化材の収納箱。
【００２２】
（１２）前記環境変化材は、空気の清浄剤で構成する上記（１）乃至（９）のいずれか環境変化材の収納箱。
【００２３】
（１３）前記環境変化材は、空気中に芳香する部材で構成する上記（１）乃至（９）のいずれかの環境変化材の収納箱。
【００２４】
（１４）前記環境変化材は、殺虫成分及び／または防黴成分を含んで構成する上記（１３）の環境変化材の収納箱。
【００２５】
（１５）前記環境変化材は、電磁波を吸収する部材で構成する上記（１）乃至（９）のいずれかの環境変化材の収納箱。
【００２６】
（１６）前記環境変化材は、外部環境から発生する有害気体を打ち消す部材で構成する上記（１）乃至（９）のいずれかの環境変化材の収納箱。
【００２７】
（１７）前記環境変化材は、炭材で構成され、上記（１０）乃至（１６）の内の少なくとも１つを有する環境変化材の収納箱。
【００２８】
【考案の実施の形態】
以下、本考案の一実施の形態について図面を用いて詳細に説明する。先ず、第１の実施の形態について図１ないし図４を用いて説明する。なお、本形態は、環境変化材が竹炭材で構成される場合に本考案を適用した例である。
【００２９】
図１に示す環境変化材の収納箱は、その外観が正方形形状の薄箱状を呈し、その全体が箱本体１と蓋体８の２つの部材で構成される。
【００３０】
箱本体１は、正方形の底板部の４辺のそれぞれに連接された４つの側面部２〜５を有し、側面部２には箱本体１の内部と外部を連通する複数の連通口２ａが穿設され、この連通口２ａの大きさは箱本体１に収納される環境変化材を構成する粒の最小粒径より小さく設定され、換言すれば当該環境変化材を構成する粒が外部に散出しないような径に設定されている。
【００３１】
連通口２ａと同様のものが側面部３、４、５においても、連通口３ａ、４ａ、５ａとして穿設されている。
【００３２】
箱本体１の側面部４と側面部５のそれぞれの上端面部に第１の係合部６、７が形成され、それぞれに嵌合する第２の係合部９、１０が蓋体８の下面に設けられている。
【００３３】
側面部４に形成される第１の係合部６は、側面部４の内壁面の上部に箱本体１の辺に並行する直線状の直線溝部６ｂが穿設され、この直線溝部６ｂの中央部位の溝が除去されてなる係合案内部６ａを有している。側面部４に対向する側面部５にも、同様の係合案内部７ａと直線溝部７ｂによって形成される第１の係合部７を有している。
【００３４】
一方、蓋体８の裏面には、対向する２つの辺縁部のそれぞれに位置すると共に、第１の係合部６と第１の係合部７のそれぞれに嵌合する第２の係合部９と第２の係合部１０が図２にも示すように設けられている。
【００３５】
第２の係合部９は、蓋体８の辺縁に並行すると共に均等断面を有する角棒状の案内部９ｂが連接され、この案内部９ｂの一部、即ち、外方寄りの部分に外方に突出する係合部９ａが連設され、この第２の係合部９と対称のものが係合部１０ａと案内部１０ｂでなる第２の係合部１０として設けられる。この係合部９ａ係合部１０ａのそれぞれの幅Ｗ２は、前述の第１の係合部６、７のそれぞれの幅Ｗ１より僅かに小さい値を有している。
【００３６】
蓋体８の係合部９ａと係合部１０ａのそれぞれの延長線上には２つの位置規制片１１、１２が案内部９ｂ、１０ｂのそれぞれの外方壁より内方に位置するように連設され、これらの位置規制片１１、１２の端面は蓋体８の辺端から側面部２の厚みにほぼ等しい部位に位置されている。
【００３７】
従って、環境変化材を箱本体１の内部に収納し、蓋体８で覆う場合には、箱本体１の開放口部の上位に蓋体８を位置させ、第２の係合部９の係合部９ａと、第２の係合部１０の係合部１０ａのそれぞれを側面部４の係合案内部６ａと、側面部５の係合案内部７ａに位置させることによって蓋体８の裏面の４辺部分が側面部２〜５の上端に密接された状態にされる。
【００３８】
図５中に括弧書きで付した符号は、詳細は後述するも蓋体８を水平面内で１８０度の角度だけ位置を変更して箱本体１に取り付けた場合の部材符号を重畳して示すもので、図６における括弧書きで付した符号も同様である。
【００３９】
この状態は、箱本体１の上部に蓋体８が位置されると共に、第２の係合部９（１０）の案内部９ｂ（１０ｂ）の端部が側面部３の内壁寄りに位置されて蓋体８の辺部が側面部３から突き出た状態にされている。
【００４０】
この状態、即ち、図４に一部破断して示すと共に、図５に一部拡大して示すように側面部５の係合案内部７ａに第２の係合部１０の係合部９ａが通過された後に直線溝部７ｂに位置された状態で蓋体８が側面部２の方向に押し込まれると、図６に拡大して示すように、係合部１０ａが直線溝部７ｂに入り込んで上下方向の抜け止めがなされた状態とされ、蓋体８の全体が側面部２の方向に移動され、その移動は、位置規制片１１、１２が側面部２の内壁面に当接するまで継続する。
【００４１】
一方、箱本体１内部に収納された環境変化材を取り出したり別種の環境変化材に交換する際には、蓋体８の全体を側面部２から側面部３方向にスライドさせると係合部９ａが直線溝部６ｂ内を摺動した後に係合案内部６ａに位置され、これと同時に係合部１０ａが直線溝部７ｂ内を摺動した後に係合案内部７ａに位置されるので、蓋体８の全体を上方に持ち上げることによって箱本体１から蓋体８を完全に分離させることができる。
【００４２】
なお、蓋体８の上に動物等の置物を載せた場合に、その向きを変更させる場合には、箱本体１を基準とし蓋体８の向きを水平面内で１８０度の角度に変更することができる。
【００４３】
箱本体１に取り付けられた蓋体８の全体を側面部２から側面部３方向に移動させることによって直線溝部６ｂ（７ｂ）に嵌合している係合部９ａ（１０ａ）が摺動され係合部９ａ（１０ａ）が係合案内部６ａ（７ａ）に位置されたときに、蓋体８を上方に持ち上げると完全に分離される。
【００４４】
蓋体８をこの状態から水平面内で１８０度の角度だけ回転させ、係合案内部６ａに係合部１０ａを位置させることによって蓋体８の全体を上方に分離状態で持ち上げることができる。
【００４５】
また、蓋体８は、箱本体１に対してその水平面内において１８０度の角度だけ変更することができるので、蓋体８の上に動物等の置物を固定的に載せた場合には、図７に示すように蓋体８に固定される動物の向きを右顔が見えるように位置させたり、図８に示すように左顔が見えるように位置させることが簡単に変更することができる。
【００４６】
なお、本考案は、今まで説明した本実施の形態による環境変化材の収納箱に、限定されること無く、本考案の要旨を逸脱しない範囲内で種々の変形実施をし得ることは勿論である。
【００４７】
例えば、箱本体１の開放口部を着脱自在に覆う蓋体８は、環境変化材を含んだ、例えば竹炭成分を塗布した動物等の載置物品を有して構成したり、当該の載置物品には環境変化材を含ませず、もしくは花瓶等の物品を有して構成しても良い。
【００４８】
また、箱本体１及び／または蓋体８は、環境変化材を含む材質で構成すれば、より効率的な環境を作り出すことができ、箱本体１及び／または蓋体８の有する環境変化材と、箱本体１内部に収納される環境変化材の材質（機能）を異ならせれば複数機能を有する収納箱とすることができる。
【００４９】
第２の係合部９は、蓋体８から突出して形成され、第１の係合部７は、箱本体１の開放口の端面に溝状に形成するように構成されているが、その凹凸関係を逆にし、第１の係合部７を、開放口の端面に突出して形成し、第２の係合部９を、端面に溝状に形成するように構成してもよい。
【００５０】
環境変化材の収納箱において箱本体１の側面に穿設された多数の連通口２ａ〜連通口５ａは、環境変化材が外部に流出しないような小さな形状の開口にされているが、開口と該開口を覆う網状部材とで構成してもよい。
【００５１】
箱本体１内部に環境変化材が収納されているが、当該の環境変化材を通気性を有する袋状の部材に格納したものを箱本体１に収納するようにしてもよく、この場合には、網状の部材で環境変化材を覆うようにしたり、不織布等の内外気の通気を有する材料で袋を構成すればよい。
【００５２】
箱本体１の内部に形成される収納部は、１つの空間領域であるが、壁面等で区分けされた複数の領域で構成し、その空間のそれぞれに１種の環境変化材を収納したり、複数の領域のそれぞれに異なる種類の環境変化材を収納するようにしてもよい。
【００５３】
これらの環境変化材は、その機能が、空気中の湿度を吸収もしくは調整する部材、空気中の臭気を吸収する部材、空気の清浄剤、空気中に芳香する部材、電磁波を吸収する部材等々であり、１つの機能を実現する場合のみならず複数機能を実現する場合もある。
【００５４】
環境変化材が空気中に芳香する部材の場合には、殺虫成分及び／または防黴成分を含ませて構成するようにしたり、電磁波を吸収する部材で構成したり、外部環境（建物の）から発生する有害気体、即ち、居住室を構成する床面板材や壁面板材等の建築部材から発せられるアンモニア臭、ホルマリン臭等の不快で人体に有害なガス臭気を化学反応によって除去する薬剤の場合もある。
【００５５】
箱本体１は、平板状の場所に載置される前提であるので、箱本体１の底部には連通口が穿設されていないが、載置場所の形態によっては当該底部が外気に接する場合があり、そのときには当該底部にも連通口を設けることによって効率的な内外気流通を行うことができ、箱本体１の底面にゴム足等の部材を固定し、底部をゴム足の長さ分だけ浮かせた状態にした場合には、当該の底面に連通口を穿設することによって箱本体１の内外気が連通状態とすることができる。
【００５６】
【考案の効果】
以上の説明で明らかなように、本考案による環境変化材の収納箱は、箱本体、及び／または蓋体に穿設され、該箱本体の内外気を連通させる連通口部と、箱本体の開放口部の縁部に形成された第１係合部と、蓋体の縁部に形成され、蓋体を箱本体に対して第１の方向に摺動させて嵌合し得ると共に、該第１の方向に対して逆方向に摺動させて嵌合し得る第２係合部とを具備するように構成しているので、環境変化材の交換を行うときにその作業が効率良く行え、箱本体と蓋体の着脱を確実に行うことができると共に、蓋体上に動物等の置物を固定的に置いた場合には、その方向を容易に位置決めされた状態で変更する事ができる。
【図面の簡単な説明】
【図１】本考案の一実施の形態による環境変化材の収納箱の蓋体を取り外した状態を示す斜視図である。
【図２】図１に示される環境変化材の収納箱における結合状態を示す平面図である。
【図３】図１に示される環境変化材の収納箱における結合状態を側面部５の方向から示す側面図である。
【図４】図１に示される環境変化材の収納箱における結合状態を側面部２の方向から示すと共に、側面部４、５を一部破断して示す側面図である。
【図５】図４に示される係合案内部７ａと係合部１０ａの位置関係を説明するための拡大断面図である。
【図６】図４に示される直線溝部７ｂと係合部１０ａの位置関係を説明するための拡大断面図である。
【図７】蓋体に置物を固定的に設けた実施の形態の第１の載置位置の状態を示す斜視図である。
【図８】蓋体に置物を固定的に設けた実施の形態の第２の載置位置の状態を示す斜視図である。
【符号の説明】
１　箱本体
２　側面部
２ａ、３ａ、４ａ、５ａ　連通口
３〜５　側面部
６　第１の係合部
６ａ　係合案内部
６ｂ　直線溝部
７　第１の係合部
７ａ　係合案内部
７ｂ　直線溝部
８　蓋体
９　第２の係合部
９ａ　係合部
９ｂ　案内部
１０　第２の係合部
１０ａ　係合部
１０ｂ　案内部
１１　位置規制片
１２　位置規制片
【図１】
0003099071.tif 000003
【図２】
0003099071.tif 000004
【図３】
0003099071.tif 000005
【図４】
0003099071.tif 000006
【図５】
0003099071.tif 000007
【図６】
0003099071.tif 000008
【図７】
0003099071.tif 000009
【図８】
0003099071.tif 000010